(57)【要約】【課題】発光ダイオードを内蔵した発射ハンドルの温度上昇を防止できる遊技機を提供すること。【解決手段】遊技機の本体の正面に設けられた発射ハンドル内のＬＥＤ基板には、発光ダイオード素子９２ａ，９２ｂ，９２ｃが設けられている。これらの発光ダイオード素子９２ａ，９２ｂ，９２ｃの電流制限用の抵抗は、発射ハンドル内ではなく、遊技機の本体の基板ボックス内に設置されたランプ制御基板に設けられているので、発射ハンドル内に電流制限用の抵抗からの熱がこもることがない。【選択図】図８
2007236714.tif 000002
【特許請求の範囲】
【請求項１】
遊技機の本体に設けられ遊技球の発射を調整する発射ハンドルと、遊技機の電飾ランプの発光を制御するランプ制御基板とを唱えた遊技機であって、
前記発射ハンドルは、
遊技者が回動するレバーと、
前記遊技機の本体に固定され、前記レバーを回動可能に支持するハンドル基部とを備え、
前記ハンドル基部には発光ダイオードを備えた回路基板が設けられ、
前記ランプ制御基板は前記遊技機の本体に設けられ、
当該ランプ制御基板に前記発光ダイオードの電流制限用の第一の抵抗を設けたことを特徴とする遊技機。
【請求項２】
前記発光ダイオードは、複数の色を発光可能な発光ダイオードであり、
当該発光ダイオードを直列に複数接続し、
当該直列に接続された発光ダイオードと並列に保護用のツエナーダイオードを設けたことを特徴とする請求項１に記載の遊技機。
【請求項３】
前記発射ハンドル内に前記発光ダイオード及び前記第一の抵抗と直列に接続される第二の抵抗を設け、
当該第二の抵抗は、前記第一の抵抗よりも抵抗値が低いことを特徴とする請求項１又は２に記載の遊技機。
【請求項４】
前記発射ハンドル内の前記回路基板には、複数の発光ダイオードを設け、当該複数の発光ダイオードの電流制限用の第一の抵抗の一部を前記ランプ制御基板に設け、残りの第一の抵抗を前記発射ハンドル内に設けたことを特徴とする請求項１又は２に記載の遊技機。
【発明の詳細な説明】
【技術分野】
【０００１】
本発明は、遊技機に関し、詳細には、発光ダイオードを搭載した回路基板を内蔵した発射ハンドルを備えた遊技機に関する。
【背景技術】
【０００２】
従来、遊技機の一種であるパチンコ機においては、装飾性を高めるために遊技盤面上やパチンコ機本体の正面の枠上に電飾ランプ等を設けて点滅又は点灯するようにしている。また、パチンコ機の本体の正面に設けられる発射ハンドルにも発光手段を内蔵したものが提案されている。例えば、特許文献１に記載の発明では、発射ハンドルのキャップは、半透明な合成樹脂材料から構成された半球形状に形成され、当該キャップ内に５個の発光ダイオードを備えている。
【０００３】
また、特許文献２に記載の発明では、発射ハンドル本体内にパチンコ機の本体方向に向けた発光ダイオードを備え、当該発光ダイオードの発光により、発射ハンドルの後部及び発射ハンドルが取り付けられたパチンコ機の本体を照らすようになっている。
【０００４】
特許文献１及び２に記載の発明では、発光手段として発光ダイオードを発射ハンドル本体内に内蔵しているが、遊技機の内部回路には、通常ＤＣ１２Ｖが供給されている。しかし、発光ダイオードを発光させるための電流値は、通常１０ｍＡ〜２０ｍＡ程度であるために、図１１に示すように、発光ダイオードには、電流制限用の抵抗を直列に接続していた。
【特許文献１】特開２００６−２６４４４号公報
【特許文献２】特開２００２−２１９２２号公報
【発明の開示】
【発明が解決しようとする課題】
【０００５】
しかしながら、上記従来の遊技機では、電流制限用の抵抗も発射ハンドル本体内に内蔵されているが、発射ハンドルの本体は密閉されているので、抵抗からの熱が発射ハンドル本体内にこもり、発射ハンドルの外側に設けられている金属部に熱が伝導して、当該金属部が熱くなり、発射ハンドルを握っている遊技者が不快に感じるという問題点があった。
【０００６】
本発明は上記問題を解決するためになされたものであり、発光ダイオードを内蔵した発射ハンドルの温度上昇を防止できる遊技機を提供することを目的とする。
【課題を解決するための手段】
【０００７】
上記問題を解決するため、請求項１に係る発明の遊技機は、遊技機の本体に設けられ遊技球の発射を調整する発射ハンドルと、遊技機の電飾ランプの発光を制御するランプ制御基板とを唱えた遊技機であって、前記発射ハンドルは、遊技者が回動するレバーと、前記遊技機の本体に固定され、前記レバーを回動可能に支持するハンドル基部とを備え、前記ハンドル基部には発光ダイオードを備えた回路基板が設けられ、前記ランプ制御基板は前記遊技機の本体に設けられ、当該ランプ制御基板に前記発光ダイオードの電流制限用の第一の抵抗を設けたことを特徴とする。
【０００８】
また、請求項２に係る発明の遊技機は、請求項１に記載の発明の構成に加えて、前記発光ダイオードは、複数の色を発光可能な発光ダイオードであり、当該発光ダイオードを直列に複数接続し、当該直列に接続された発光ダイオードと並列に保護用のツエナーダイオードを設けたことを特徴とする。
【０００９】
また、請求項３に係る発明の遊技機は、請求項１又２に記載の発明の構成に加えて、前記発射ハンドル内に前記発光ダイオード及び前記第一の抵抗と直列に接続される第二の抵抗を設け、当該第二の抵抗は、前記第一の抵抗よりも抵抗値が低いことを特徴とする。
【００１０】
また、請求項４に係る発明の遊技機は、請求項１又２に記載の発明の構成に加えて、  前記発射ハンドル内の前記回路基板には、複数の発光ダイオードを設け、当該複数の発光ダイオードの電流制限用の第一の抵抗の一部を前記ランプ制御基板に設け、残りの第一の抵抗を前記発射ハンドル内に設けたことを特徴とする。
【発明の効果】
【００１１】
請求項１に係る発明の遊技機では、発射ハンドル本体内には、発光ダイオードを備えた回路基板が設けられているが、発光ダイオードの電流制限用の第一の抵抗は、遊技機の本体に設けられたランプ制御基板に設けられているので、抵抗からの熱が発射ハンドル本体内にこもることがない。従って、発射ハンドルの温度上昇を防止できる。よって、発射ハンドルを握っている遊技者が不快に感じることがない。
【００１２】
また、請求項２に係る発明の遊技機では、請求項１に記載の発明の効果に加えて、発光ダイオードを直列に複数接続し、当該直列に接続された発光ダイオードと並列に保護用のツエナーダイオードを接続しているので、外来の電気的ノイズの電圧が印加された場合には、ツエナーダイオードにより電流がバイパスされ、外来の電気的ノイズの電圧が発光ダイオードに直接印加されて、電気的に破壊されるのを防止できる。
【００１３】
また、請求項３に係る発明の遊技機は、請求項１又２に記載の発明の効果に加えて、発射ハンドル内に発光ダイオード及び第一の抵抗と直列に接続される第二の抵抗を設け、当該第二の抵抗は、前記第一の抵抗よりも抵抗値が低いので、第一の抵抗を前記発射ハンドル内に設けた場合に比べて、第二の抵抗からの熱が発射ハンドル本体内にこもることが少ない。従って、発射ハンドルの温度上昇を防止できる。よって、発射ハンドルを握っている遊技者が不快に感じることが少ない。
【００１４】
また、請求項４に係る発明の遊技機は、請求項１又２に記載の発明の効果に加えて、前記発射ハンドル内の前記回路基板には、複数の発光ダイオードを設け、当該複数の発光ダイオードの電流制限用の第一の抵抗の一部を前記ランプ制御基板に設け、残りの第一の抵抗を前記発射ハンドル内に設けたので、第一の抵抗を前記発射ハンドル内に全て設けた場合に比べて、第一の抵抗からの熱が発射ハンドル本体内にこもることが少ない。従って、発射ハンドルの温度上昇を防止できる。よって、発射ハンドルを握っている遊技者が不快に感じることが少ない。
【発明を実施するための最良の形態】
【００１５】
以下、本発明に係る発射ハンドルを備えた遊技機の一実施の形態であるパチンコ機１について、図面を参照して詳細に説明する。図１は、パチンコ機１の表枠１４及び中枠１３が開いた状態の斜視図であり、図２は、パチンコ機１の正面図である。
【００１６】
はじめに、パチンコ機１の概略構成について説明する。図１に示すように、パチンコ機１は、遊技場の島設備（図示外）に配設され、パチンコ機１の本体を支持する正面視略長方形状の枠部材である外枠１２を備えている。この外枠１２は、外枠上柱部１２ａ，外枠右柱部１２ｂ，外枠左柱部１２ｃ，外枠下柱部１２ｄからなり、正面視略長方形状の枠を構成している。そして、外枠下柱部１２ｄは他の３つの柱部材である外枠上柱部１２ａ、外枠右柱部１２ｂ、外枠左柱部１２ｃよりもやや前方へ突出した形状を有している。このため、外枠下柱部１２ｄは他の３本の枠部材よりも高い強度を有し、土台としての機能も担っている。さらに、図２に示すように、外枠下柱部１２ｄの遊技者に対向する正面側には、合成樹脂で形成された黒色の薄板である化粧板（図示外）が張られている。そして、このような構成からなる外枠１２の外枠左柱部１２ｃ近傍に、中枠１３における中枠左柱部近傍が軸支されるようになっている。
【００１７】
この中枠１３は正面視略長方形状の金属製のアングル部材からなる。この中枠１３の左柱部は、上ヒンジ２６及び下ヒンジ２５を介して外枠１２の外枠左柱部１２ｃ近傍に軸支されることにより、中枠１３が外枠１２に対して略水平方向に回動可能（開閉可能）となっている。そして中枠１３の開閉によって中枠１３の中枠右柱部１３ｂで外枠１２に着脱可能となっている。
【００１８】
一方、中枠１３の上半分には遊技盤２が固定されるための正面視略長方形状の遊技盤用開口部が形成され、当該遊技盤用開口部に遊技盤２が配設されている。さらに中枠１３の正面側において、遊技盤２の下方には発射機に遊技球を供給し、かつ賞品球を受け入れる上皿５が設けられており、上皿５の直下には賞品球を受ける下皿６が設けられている。当該下皿６の右側には遊技者により操作され、発射機による遊技球の発射を調節する発射ハンドル７が設けられている。また、当該遊技盤２の正面側には正面視略矩形状の表枠１４が設けられている。
【００１９】
そして、図１及び図２に示すように、中枠１３において上皿５の右側には鍵穴３３が設けられており、この鍵穴３３の背後にはシリンダ錠（図示外）が設けられている。この鍵穴３３に鍵（図示外）を挿入し、挿入された鍵を反時計回りに回転させることにより、外枠１２に対して固定されていた中枠１３が略水平方向に回動可能となる。一方、挿入された鍵を時計回りに回転させることにより、中枠１３に対して表枠１４が略水平方向に回動可能となる。また、図１に示すようにパチンコ機１の中枠１３の背面側には、当該パチンコ機１を構成する各部を制御するための、主基板や音基板、電飾基板、サブ統合基板など多数の制御装置を配設した機構セット盤（図示外）等が組み付けられており、それら基盤は合成樹脂製の透明な板材からなるセンターカバー２７や基板ボックス２８で保護されている。また、センターカバー２７の上方には、遊技機設置島から供給される遊技球を貯留する遊技球タンク２９が設けられている。
【００２０】
ここで、遊技盤２について説明する。発射ハンドル７の操作により、発射手段である発射機（図示外）から発射された遊技球が遊技盤２及びガラス窓２３によって形成された空間を流下する。この遊技盤２は、中枠１３の裏面側に固定された遊技盤固定枠の遊技盤用開口部（図示外）の正面側に支持され、ガラス窓２３を略中央に保持した表枠１４によって保護されている。図２に示すように、この遊技盤２は正面視略長方形状の板部材であり、３枚の板部材が積層されて１枚の板部材を形成している。図１に示すように、遊技盤２の正面には外レール３及び内レール９に囲まれ、発射手段によって発射された遊技球が流下する正面視略円形状の遊技領域４が設けられている。
【００２１】
そして、図２に示すようにこの遊技領域４の略中央には、ＬＣＤから構成され、各種図柄を可変表示して所要の遊技演出を行う特別図柄表示画面や各種ランプ及びＬＥＤを備えた特別図柄表示装置８が設けられている。また、この特別図柄表示装置８の下側には特別図柄始動電動役物１５が設けられており、当該特別図柄始動電動役物１５の左右には普通入賞口１９，２０がそれぞれ設けられている。そして、普通入賞口１９の左方には普通図柄始動ゲート１１が設けられている。さらに、特別図柄始動電動役物１５の下方には大入賞口１６が設けられており、当該大入賞口１６の下方には、何れの入賞口にも入賞しなかった遊技球が回収されるアウト口３０が設けられている。
【００２２】
次に、図１及び図２を参照して表枠１４について説明する。表枠１４は、正面視略長方形状であり、中枠１３に固定された遊技盤２の配設領域に略整合する外形サイズに成形されている。また、遊技盤２の遊技領域４を前側から視認し得るように略中央に開口部が開設されている。この開口部には透明板であるガラス窓２３が嵌め込まれており、当該ガラス窓２３を介して遊技領域４を視認可能となっている。表枠１４の表枠左側端部１４ａが中枠の左柱部の近傍に軸支されることにより、表枠１４が中枠１３に対して略水平方向に回動可能（開閉可能）となっており、表枠１４の開閉によって表枠右側端部１４ｂで中枠１３に着脱可能となっている。表枠１４の右上部と左上部には、それぞれスピーカー５１およびスピーカー５２が設置されており、当該スピーカー５１及びスピーカー５２は配線によって機構セット盤における音基板（図示外）と接続されており、音基板はさらにサブ統合基板により制御されている。すなわちスピーカー５１及びスピーカー５２からはサブ統合基板による制御により様々な音が発生する。
【００２３】
次に、図３乃至図５を参照して、発射ハンドル７について説明する。図３は発射ハンドル７の斜視図であり、図４は発射ハンドル７の横断面図であり、図５は発射ハンドル７の分解斜視図である。尚、図３乃至図５において、遊技者側を前側、パチンコ機１側を後側と言う。
【００２４】
まず、図３乃至図５を参照して、発射ハンドル７の外観構成について説明する。図３乃至図５に示すように、発射ハンドル７は、パチンコ機１の中枠１３（図１参照）の正面の右下部に挿入固定される半径の異なる３つの円筒形を組み合わせたハンドル基部７０を備えている。このハンドル基部７０は、中枠１３方向に向かって径が細くなっており、合成樹脂から構成された半円筒の下部ハンドル基部７１及び上部ハンドル基部７２をねじ１０４によりねじ止めして構成されている。
【００２５】
また、図３に示すように、ハンドル基部７０の前側には、合成樹脂のリングに鍍金を行って導電性を持たせた背面タッチ部材７３が、下部ハンドル基部７１及び上部ハンドル基部７２の端部を膨らませた取り付け部７１ａ，７２ａに嵌装されている。さらに、背面タッチ部材７３の前側には、レバー７５が発射ハンドル７の軸芯周りに回動可能に設けられており、レバー７５の前側には、中央部に開口部が形成された円盤である板金部７８が設けられ、板金部７８の前側には、中央部に開口部が形成された合成樹脂の円盤に鍍金を行って導電性を持たせた前面タッチ部材７６が板金部７８に嵌合して設けられている。そして、前面タッチ部材７６の前側には、光透過性を有する合成樹脂のドーム形状のキャップ部材７７が設けられている。尚、キャップ部材７７の一例としては、透明な合成樹脂から構成されたドーム形状のキャップを用いればよいが、スモーク等の着色がされていても光透過性があればよい。
【００２６】
次に、図４及び図５を参照して、発射ハンドル７の内部構造を説明する。図４及び図５に示すように、発射ハンドル７の内部の最後端側には、ハンドル中継基板８６及びＬＥＤ中継基板８７が設けられ、ハンドル中継基板８６は、ハーネス８８によりレバー７５の回転角を検出する発射ボリューム８５に接続され、ＬＥＤ中継基板８７は、発光ダイオード素子９２ａ，９２ｂ，９２ｃが設けられたＬＥＤ基板９２にハーネス９３で接続されている。
【００２７】
尚、図４に示すように、発射ボリューム８５は中央部に回動する軸８５ａを備え、当該軸８５ａが貫通される貫通孔が形成された金属板であるボリューム板金８９にワッシャ９０及びナット９１により発射ボリューム８５の軸８５ａの外周基部が固定され、ボリューム板金８９は、下部ハンドル基部７１及び上部ハンドル基部７２に固定されている。
【００２８】
また、図４及び図５に示すように、ボリューム板金８９の前側には、タッチセンサー９６及び発射装置停止スイッチ９７が設けられている。タッチセンサー９６及び発射装置停止スイッチ９７は、ハーネス９５によりハンドル中継基板８６に接続されている。尚、前面タッチ部材７６は、ハーネス１００により背面タッチ部材７３に接続されており、背面タッチ部材７３はタッチセンサー９６に図示外のハーネスにより接続されている。従って、導電性を有する前面タッチ部材７６及び背面タッチ部材７３は、タッチセンサー９６に電気的に接続される。よって、遊技者が発射ハンドル７を握った場合には、前面タッチ部材７６及び背面タッチ部材７３の少なくとも一方には、手が接触するので、タッチセンサー９６により遊技者が発射ハンドル７を握ったことを検出することができる。また、発射装置停止スイッチ９７には、発射停止スイッチレバー９８が接続されている。
【００２９】
尚、背面タッチ部材７３は、ねじ１０２により下部ハンドル基部７１の取り付け部７１ａ及び上部ハンドル基部７２の取り付け部７２ａに固定され、さらに、取り付け部７１ａには、内周方向に所定幅突出した鍔部である内部フランジ部７１ｂ及び７１ｃが所定間隔開けて設けられており、内部フランジ部７１ｂ及び７１ｃの隙間７１ｄに、ＬＥＤ基板９２を覆う、透明の絶縁性の合成樹脂材料から形成されたＬＥＤ基板ケース９４の外周のフランジ部９４ａが嵌合している。尚、取り付け部７２ａ内も同様の構造になっている。また、背面タッチ部材７３には、ねじ１０２を挿入可能な挿入孔７３ａが穿設され、下部ハンドル基部７１には、ねじ１０２が螺入されるねじ孔７１ｅが穿設され、上部ハンドル基部７２には、ねじ１０２が螺入されるねじ孔７２ｅが穿設され、当該ねじ孔７１ｅ，７２ｅに前記ねじ１０２を螺入して背面タッチ部材７３と下部ハンドル基部７１及び上部ハンドル基部７２とを螺着するようになっている。
【００３０】
従って、ＬＥＤ基板ケース９４のフランジ部９４ａ及び下部ハンドル基部７１の内部の取り付け部７１ａの内部フランジ部７１ｂにより、ＬＥＤ基板９２と背面タッチ部材７３との間の沿面距離が拡大され、ＬＥＤ基板９２と背面タッチ部材７３との間の絶縁強度を高めることができる。従って、背面タッチ部材７３から静電気がＬＥＤ基板９２に放電されて、ＬＥＤ基板９２上の発光ダイオード素子９２ａ，９２ｂ，９２ｃが故障することを防止できる。尚、ＬＥＤ基板９２が請求項に言う「回路基板」に相当する。
【００３１】
次に、図４及び図５を参照して、レバー７５の内部の構造について説明する。図４及び図５に示すように、レバー７５の内部には、透明の合成樹脂部材から構成されレバー７５を回動可能に保持するハンドルスライド部７４が設けられ、レバー７５は、巻きばね８３によりハンドルスライド部７４に対して、反時計回りに付勢されている。また、レバー７５は、光透過性を有する乳白色の合成樹脂から構成され、その中心部には、ハンドルレバー軸８２の前端が嵌合し、ハンドルレバー軸８２の後端は、発射ボリューム８５の軸８５ａに嵌合している。従って、レバー７５が回動されると、同じ角度だけ発射ボリューム８５の軸８５ａも回動されるようになっている。尚、レバー７５の内面には、軸部７５ａの周りに、円弧状の貫通孔７５ｂ及び７５ｃが設けられている。ここで、ＬＥＤ基板９２上の発光ダイオード素子９２ａ，９２ｂ，９２ｃから出た光は、ハンドルスライド部７４を透過して、貫通孔７５ｂ及び７５ｃを通過する。尚、光がハンドルスライド部７４を透過するときに、ハンドルスライド部７４が導光板の働きをして、ハンドルスライド部７４の全体も光るためにハンドルスライド部７４が内部にあるレバー７５も発光することになる。
【００３２】
次に、図４及び図５を参照して、板金部７８からキャップ部材７７の構造を説明する。板金部７８には、真ん中に大きな開口部７８ａが設けられ、その周囲に２つの小さな円形の開口部７８ｂが設けられている。そして、板金部７８は前面タッチ部材７６にねじ１０３により固定される。また、前面タッチ部材７６には、中心に大きな円形の開口部７６ｂが設けられ、その周りに５つの小さな円形の開口部７６ａが設けられている。
【００３３】
さらに、図５に示すように、前面タッチ部材７６の前側には、透明の合成樹脂製のリングにより形成された発光部プレート７９が設けられている。この発光部プレート７９には、５つの小さな凸レンズ７９ａが前側に設けられている。また、発光部プレート７９とキャップ部材７７との間には、発光ダイオード素子９２ａ〜９２ｃの数より多い５つの貫通孔を備え、中央が盛り上がった円盤状（ドーム形状）の装飾部材８０が設けられている。尚、発光部プレート７９の５つの小さな凸レンズ７９ａは、装飾部材８０の５つの貫通孔に嵌合するので、装飾部材８０の５つの貫通孔８０ａに、各々５つの凸レンズ７９ａが設けられることになる。
【００３４】
この装飾部材８０は、透明の合成樹脂製のキャップ部材７７によりカバーされ、キャップ部材７７の外周部は、前面タッチ部材７６に嵌合する。尚、ハンドルスライド部７４は、ねじ１０１により前面タッチ部材７６に固定され、ハンドルスライド部７４には、レバー７５が回動可能に保持され、レバー７５の軸部７５ａには、ブッシュ８１が外嵌される。従って、ハンドルスライド部７４からキャップ部材７７までが一体構造となる。尚、ハンドルスライド部７４に設けられた図示外の貫通孔にねじ１０５を挿入して、ハンドルスライド部７４と下部ハンドル基部７１とが螺着される。
【００３５】
次に、図６乃至図８を参照して、ＬＥＤ基板９２の構造について説明する。図６は、ＬＥＤ基板９２の表面の平面図であり、図７は、ＬＥＤ基板９２の裏面図であり、図８は、ＬＥＤ基板９２の回路図である。
【００３６】
図６に示すように、ＬＥＤ基板９２は、プリント配線基板であり、その表面には、発光ダイオード素子９２ａ，９２ｂ，９２ｃを、各々、半田付けするためのランド１９２ａ，１９２ｂ，１９２ｃと、発光ダイオード素子９２ａ，９２ｂ，９２ｃの保護用のツエナーダイオード１１１ａ，１１１ｂ，１１１ｃ（図８参照）を半田付けするためのランド１２１ａ，１２１ｂ，１２１ｃと、コネクタを半田付けするためのランド１２２と、配線部とが形成されている。しかし、発光ダイオード素子９２ａ，９２ｂ，９２ｃの電流制限用の抵抗を半田付けするためのランドは、形成されていない。
【００３７】
また、図７に示すように、ＬＥＤ基板９２の裏面には、コネクタを半田付けするためのランド１２３と、配線部とが形成されている。しかし、発光ダイオード素子９２ａ，９２ｂ，９２ｃの電流制限用の抵抗を半田付けするためのランドは、形成されていない。
【００３８】
また、図８に示す回路図のように、ＬＥＤ基板９２には、発光ダイオード素子９２ａ，９２ｂ，９２ｃが３つ設けられているが、これらの各発光ダイオード素子は、３色の発光ダイオードを１つのパッケージに詰め込んで一体化した半田付け用のチップタイプの発光ダイオード素子であり、発光ダイオード素子９２ａ，９２ｂ，９２ｃの同じ色の発光ダイオードを各々直列に接続し、その直列接続の両端と並列にツエナーダイオード１１１ａ，１１１ｂ，１１１ｃを各々接続した。尚、ツエナーダイオード１１１ａ，１１１ｂ，１１１ｃには、逆バイアスが掛かるようになっている。このツエナーダイオード１１１ａ，１１１ｂ，１１１ｃは、外来の電気的ノイズが、ＬＥＤ基板９２の回路に印加された場合に、その電流をバイパスして、発光ダイオード素子９２ａ，９２ｂ，９２ｃを電気的破壊から保護するためのものである。
【００３９】
次に、図９及び図１０を参照して、ランプ制御基板１３０について説明する。図９は、ランプ制御基板１３０の平面図であり、図１０は、ランプ制御基板１３０の回路図である。ランプ制御基板１３０は、パチンコ機１の電飾ランプの発光を制御する回路基板であり、プリント配線基板から構成されている。そして、図１０に示すように、ランプ制御基板１３０には、複数のＩＣと、コンデンサ、抵抗等の回路素子が設けられている。
【００４０】
図９及び図１０に示すように、このランプ制御基板１３０には、ＬＥＤ基板９２に設けられた発光ダイオード素子９２ａ，９２ｂ，９２ｃの電流制限用の抵抗１３１ａ，１３１ｂ，１３１ｃが設けられている。尚、ランプ制御基板１３０は、図１に示す基板ボックス２８内に設けられている。従って、発射ハンドル７内には、発光ダイオード素子９２ａ，９２ｂ，９２ｃの電流制限用の抵抗１３１ａ，１３１ｂ，１３１ｃが存在しない。尚、電流制限用の抵抗１３１ａ，１３１ｂ，１３１ｃが、請求項にいう「第一の抵抗」に相当する。
【００４１】
以上説明したように、本実施の形態のパチンコ機１では、発射ハンドル７内に発光ダイオード素子９２ａ，９２ｂ，９２ｃが設けられているが、発光ダイオード素子９２ａ，９２ｂ，９２ｃの電流制限用の抵抗１３１ａ，１３１ｂ，１３１ｃは、基板ボックス２８内に設けられているランプ制御基板１３０に設けられているので、発射ハンドル７内に電流制限用の抵抗１３１ａ，１３１ｂ，１３１ｃからの熱がこもることがない。尚、基板ボックス２８は、容量が大きなボックスであり、通風孔もあるので、放熱の問題は生じない。
【００４２】
また、本実施の形態のパチンコ機１では、発光ダイオード素子９２ａ，９２ｂ，９２ｃにツエナーダイオード１１１ａ，１１１ｂ，１１１ｃを並列に逆バイアスとなるように接続しているので、外来の電気的ノイズが、ＬＥＤ基板９２の回路に印加された場合に、その電流をバイパスして、発光ダイオード素子９２ａ，９２ｂ，９２ｃの電気的破壊を防止できる。
【００４３】
尚、本実施の形態のパチンコ機１は、上記実施の形態に限定されずに、各種の変形が可能である。例えば、発光ダイオード素子９２ａ，９２ｂ，９２ｃは、３つに限られず、１個、２個、４個、５個等任意の数でよい。発光ダイオードの個数に応じて、適宜、抵抗の数も１個、２個、４個、５個等任意の数で変化させてもよい。また、発光ダイオード１個に対して、１個の抵抗を用いているが、場合によっては、発光ダイオード１個に対して、２個以上の抵抗を用いてもよい。即ち、上記の実施の形態では、発光ダイオード素子９２ａ，９２ｂ，９２ｃに対して、各々、電流制限用の抵抗１３１ａ，１３１ｂ，１３１ｃを用いているが、個々に、複数の抵抗を用いてもよい。さらに、本実施の形態のパチンコ機１のＬＥＤ基板９２及びランプ制御基板１３０は、パチンコ機１だけでなく、パチコン機にも用いることができる。
【００４４】
また、上記実施の形態では、発射ハンドル７内には抵抗が設けられていないが、例えば、発光ダイオードの電流制限用の第一の抵抗として、２７０Ωの抵抗をランプ制御基板１３０に設け、発光ダイオードと当該２７０Ωの第一の抵抗と直列に接続した３０Ωの抵抗を第二の抵抗としてＬＥＤ基板９２に設けてもよい。このようにすることにより発射ハンドル７内に電流制限用の第二の抵抗を設けても第二の抵抗での発熱を大幅に押さえることができる。従って、発射ハンドル７内に熱がこもり、発射ハンドル７が熱くなって遊技者が不快に感じることを防止できる。尚、当該第一の抵抗及び第二の抵抗の値は前記値に限られるものではなく、適宜設定変更が可能である。
【００４５】
また、本発明は、次のように変形することもできる。例えば、発光ダイオード３個を発射ハンドル７内に設ける場合に、ランプ制御基板１３０上に前記発光ダイオード３個中の２個に各々対応した電流制限用の第一の抵抗を２個設け、発射ハンドル７内に残りの発光ダイオード１個に対応した電流制限用の第一の抵抗を１個設けても良い。この場合には、発射ハンドル７内に電流制限用の第一の抵抗を３個設けた場合に比べて、発射ハンドル７内に熱がこもらず、発射ハンドル７が熱くなって遊技者が不快に感じることを防止できる。
【図面の簡単な説明】
【００４６】
【図１】パチンコ機１の表枠１４及び中枠１３が開いた状態の斜視図である。
【図２】パチンコ機１の正面図である。
【図３】発射ハンドル７の斜視図である。
【図４】発射ハンドル７の横断面図である。
【図５】発射ハンドル７の分解斜視図である。
【図６】ＬＥＤ基板９２の表面の平面図である。
【図７】ＬＥＤ基板９２の裏面図である。
【図８】ＬＥＤ基板９２の回路図である。
【図９】ランプ制御基板１３０の平面図である。
【図１０】ランプ制御基板１３０の回路図である。
【図１１】従来のＬＥＤ基板の回路図である。
【符号の説明】
【００４７】
１    パチンコ機
２    遊技盤
４    遊技領域
５    上皿
６    下皿
７    発射ハンドル
１２    外枠
１３    中枠
１４    表枠
７０    ハンドル基部
７１    下部ハンドル基部
７１ａ，７２ａ  取り付け部
７１ｂ，７１ｃ    内部フランジ部
７１ｄ    隙間
７１ｅ    ねじ孔
７２      上部ハンドル基部
７２ｅ    ねじ孔
７３      背面タッチ部材
７３ａ    挿入孔
７４      ハンドルスライド部
７５      レバー
７５ａ    軸部
７５ｂ，７５ｃ  貫通孔
７６      前面タッチ部材
７６ａ    開口部
７６ｂ    開口部
７７      キャップ部材
７８      板金部
７８ａ    開口部
７８ｂ    開口部
７９      発光部プレート
７９ａ    凸レンズ
８０      装飾部材
８０ａ    貫通孔
８１      ブッシュ
８２      ハンドルレバー軸
８５      発射ボリューム
８５ａ    軸
８６      ハンドル中継基板
８７      ＬＥＤ中継基板
８８      ハーネス
８９      ボリューム板金
９２      ＬＥＤ基板
９２ａ，９２ｂ，９２ｃ  発光ダイオード素子
９３      ハーネス
９４      ＬＥＤ基板ケース
９４ａ    フランジ部
９５      ハーネス
９６      タッチセンサー
９７      発射装置停止スイッチ
１１１ａ，１１１ｂ，１１１ｃ  ツエナーダイオード
１３０    ランプ制御基板
１３１ａ，１３１ｂ，１３１ｃ  抵抗
【図１】
2007236714.tif 000003
【図２】
2007236714.tif 000004
【図３】
2007236714.tif 000005
【図４】
2007236714.tif 000006
【図５】
2007236714.tif 000007
【図６】
2007236714.tif 000008
【図７】
2007236714.tif 000009
【図８】
2007236714.tif 000010
【図９】
2007236714.tif 000011
【図１０】
2007236714.tif 000012
【図１１】
2007236714.tif 000013